(57)【要約】【課題】  ロック機構を有するスライドレールアセンブリ及びそのレールキットを提供すること。【解決手段】スライドレールアセンブリは第１のレール、第２のレール及びロック装置を含む。第２のレールは第１のレールに対して可動である。ロック装置は第２のレールに配置されている。ロック装置は第２のレールに配置されている。ロック装置は第１の部分及び第２の部分を含む。第１の部分と第２部分との間に第１の空間が定義されている。第２のレールが第１のレールに対して所定の位置に位置している場合、第１の部分と第２の部分との間にブロック部を収容するように構成された第２の空間が定義され、ロック装置の第１の部分及び第２の部分は第１のレールのブロック部の２つの側をそれぞれブロックするように構成されている。【選択図】  図１
2019034111.tif 000002
【特許請求の範囲】
【請求項１】
ブロック部を含む第１のレールと、
前記第１のレールに対して可動な第２のレールと、
前記第２のレールに配置される第１のロック装置であって、該第１のロック装置は第１の部材及び第２の部材を含み、該第１の部材は第１の部分を含み、該第２の部材は第２の部分を含み、該第１の部分と該第２の部分との間に第１の空間が定義され、該第１の空間は前記ブロック部を収容することができない、第１のロック装置と、
前記第２のレールに配置される第２のロック装置であって、該第２のロック装置は第３の部材及び第４の部材を含み、該第３の部材は第３の部分を含み、該第４の部材は第４の部分を含む、第２のロック装置と、
を含むスライドレールアセンブリであって、
前記第２のレールが前記第１のレールに対して格納位置から第１の所定の位置に第１の方向に沿って動かされるプロセスの間、前記第２の部材の第２の部分は前記第１のレールのブロック部によってブロックされ、前記第１の部材は前記第１の部分と前記第２の部分との間に第２の空間が定義されるように前記第２のレールと共に前記第１の方向に沿って動かされ、前記第２の空間は前記ブロック部を前記第１のロック装置にロックするために前記第１のレールのブロック部を収容するように構成され、
前記ブロック部のロックを解除するために前記第１のロック装置が操作され、前記第２のレールが前記第１のレールに対して第２の所定の位置に前記第１の方向に沿って動かされると、前記第３の部分と前記第４の部分との間に定義される第３の空間は、前記ブロック部を前記第２のロック装置にロックするために前記第１のレールのブロック部を収容するように構成されている、スライドレールアセンブリ。
【請求項２】
前記ブロック部のロックを解除するために前記第２のロック装置が操作されると、前記第２のレールは前記第１のレールに対して前記第２の所定の位置から前記格納位置に第２の方向に沿って動かすことができる、請求項１に記載のスライドレールアセンブリ。
【請求項３】
前記第１の部材は前記第２のレールに固定され、前記第２の部材はガイド機構を通じて限られた範囲内で前記第２のレールに対して動かすことができる、請求項１に記載のスライドレールアセンブリ。
【請求項４】
前記第１の部材は第１の弾性部分をさらに含み、前記第１の部分は前記第１の弾性部分の一端に配置され、前記第２の部材は第２の弾性部分をさらに含み、前記第２の部分は前記第２の弾性部分の一端に配置され、前記第１の弾性部分は前記第２のレールと前記第２の弾性部分との間に位置し、前記第１の弾性部分及び前記第２の弾性部分は前記第２のレールに対して傾斜している、請求項１に記載のスライドレールアセンブリ。
【請求項５】
前記第２の部材は前記第２の弾性部分に接続された第１の伸長部分をさらに含み、前記第２のレールは前記第１の伸長部分に当接するように構成された第１の支持部をさらに含む、請求項４に記載のスライドレールアセンブリ。
【請求項６】
前記第３の部材は第３の弾性部分をさらに含み、前記第３の部分は前記第３の部分の一端に配置され、前記第４の部材は第４の弾性部分をさらに含み、前記第４の部分は前記第４の弾性部分の一端に配置され、前記第３の弾性部分は前記第２のレールと前記第４の弾性部分との間に位置し、前記第３の弾性部分及び前記第４の弾性部分は前記第２のレールに対して傾斜している、請求項１に記載のスライドレールアセンブリ。
【請求項７】
前記第４の部材は前記第４の弾性部分に接続された第２の伸長部分をさらに含み、前記第２のレールは前記第２の伸長部分に当接するように構成された第２の支持部をさらに含む、請求項６に記載のスライドレールアセンブリ。
【請求項８】
前記第２の部材に弾性力を加えるように構成された弾性部材をさらに含む、請求項３に記載のスライドレールアセンブリ。
【請求項９】
ブロック部を含む第１のレールと、
前記第１のレールに対して可動な第２のレールと、
前記第２のレールに配置される第１のロック装置であって、該第１のロック装置は第１の部分及び第２の部分を含み、該第１の部分と該第２の部分との間に前記ブロック部を収容できない第１の空間が定義され、前記第２のレールが前記第１のレールに対して第１の所定の位置に位置している場合、前記第１の部分と前記第２の部分との間に前記ブロック部を収容するように構成された第２の空間が定義され、前記第１のロック装置の第１の部分及び第２の部分は前記第１のレールのブロック部の２つの側をそれぞれブロックするように構成されている、第１のロック装置と、
を含むスライドレールアセンブリ。
【請求項１０】
スライドレールと、
前記スライドレールに配置される第１のロック装置であって、該第１のロック装置は第１の部材及び第２の部材を含み、該第１の部材は前記スライドレールに固定され、前記第２の部材は前記スライドレールに可動に取り付けられ、前記第２の部材が前記スライドレールに対して動かされると、前記第１の部材と前記第２の部材との間に定義される第１の空間が第２の空間に変わり、前記第２の空間は前記第１の空間よりも大きい、第１のロック装置と、
を含むレールキット。
【発明の詳細な説明】
【技術分野】
【０００１】
本発明はスライドレールアセンブリに関し、より具体的にはロック機構を有するスライドレールアセンブリに関する。
【背景技術】
【０００２】
一般に、スライドレールアセンブリは第１のレールと、第１のレールに対して可動な第２のレールとを含む。第２のレールが第１のレールに対して所定の方向に沿って所定の位置に動かされた場合に、第２のレールが前記所定の位置で保持されるように第１のレールと第２のレールとの間に設けられるブロック構造は第２のレールが第１のレールに対して前記所定の方向に沿ってさらに移動するのを防止する。関連技術の改善が続くのに伴って、スライドレールアセンブリは、第１のレールに対して所定の位置でブロック機構によってブロックされるように構成された第２のレールと、第２のレールを第１のレールに対して所定の方向に沿って動かすことができるようにするためにブロック機構のロックを解除するために操作されるように構成された操作部材とを有する。例えば、特許文献１には外側部材（２０）、内側部材（３０）、ストップ部材（５０）及び枢動部材（７０）を含むスライドレールアセンブリが開示されている。枢動部材（７０）は内側部材（３０）に枢結されている。内側部材（３０）が外側部材（２０）に対して所定の位置に位置している場合、枢動部材（７０）及びストップ部材（５０）は内側部材（３０）が外側部材（２０）に対して動くのを防止するためにお互いをブロックし合う。
【先行技術文献】
【特許文献】
【０００３】
【特許文献１】米国特許第６４１２８９１号明細書
【発明の概要】
【発明が解決しようとする課題】
【０００４】
しかしながら、様々な市場の要望のために、限られた空間に適用可能で機器のメンテナンスを容易にする様々なスライドレールアセンブリを提供することが重要である。
【０００５】
本発明はロック機構を有するスライドレールアセンブリ及びそのレールキットに関する。
【課題を解決するための手段】
【０００６】
本発明の一実施形態によれば、スライドレールアセンブリは第１のレール、第２のレール、第１のロック装置及び第２のロック装置を含む。第１のレールはブロック部を含む。
第２のレールは第１のレールに対して可動である。第１のロック装置は第２のレールに配置される。第１のロック装置は第１の部材及び第２の部材を含む。第１の部材は第１の部分を含む。第２の部材は第２の部分を含む。第１の部分と第２の部分との間に第１の空間が定義され、第１の空間はブロック部を収容することができない。第２のロック装置は第２のレールに配置される。第２のロック装置は第３の部材及び第４の部材を含む。第３の部材は第３の部分を含む。第４の部材は第４の部分を含む。第２のレールが第１のレールに対して格納位置から第１の所定の位置に第１の方向に沿って動かされるプロセスの間、第２の部材の第２の部分は第１のレールのブロック部によってブロックされ、第１の部材は記第１の部分と第２の部分との間に第２の空間が定義されるように第２のレールと共に第１の方向に沿って動かされ、第２の空間はブロック部を第１のロック装置にロックするために第１のレールのブロック部を収容するように構成されている。ブロック部のロックを解除するために第１のロック装置が操作され、第２のレールが第１のレールに対して第２の所定の位置に第１の方向に沿って動かされると、第３の部分と第４の部分との間に定義される第３の空間は、第１のレールのブロック部を第２のロック装置にロックするために第１のレールのブロック部を収容するように構成されている。
【０００７】
本発明の別の実施形態によれば、スライドレールアセンブリは第１のレール、第２のレール及び第１のロック装置を含む。第１のレールはブロック部を含む。第２のレールは第１のレールに対して可動である。第１のロック装置は第２のレールに配置される。第１のロック装置は第１の部分及び第２の部分を含む。第１の部分と第２の部分との間にブロック部を収容できない第１の空間が定義される。第２のレールが第１のレールに対して第１の所定の位置に位置している場合、第１の部分と第２の部分との間にブロック部を収容するように構成された第２の空間が定義される。第１のロック装置の第１の部分及び第２の部分は第１のレールのブロック部の２つの側をそれぞれブロックするように構成されている。
【０００８】
本発明の別の実施形態によれば、レールキットはスライドレール及び第１のロック装置を含む。第１のロック装置はスライドレールに配置される。第１のロック装置は第１の部材及び第２の部材を含む。第１の部材はスライドレールに固定される。第２の部材はスライドレールに可動に取り付けられる。第２の部材がスライドレールに対して動かされると、第１の部材と第２の部材との間に定義される第１の空間が第２の空間に変わり、第２の空間は第１の空間よりも大きい。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、本発明の第１の実施形態に係るラックの一方側に取り付けられたスライドレールアセンブリを示す図である。
【図２】図２は、本発明の第１の実施形態に係るスライドレールアセンブリの分解図である。
【図３】図３は、図２の領域Ａの拡大図である。
【図４】図４は、本発明の第１の実施形態に係るレールキットを示す図である。
【図５】図５は、本発明の第１の実施形態に係る、縮められた状態にあるスライドレールアセンブリを示す図である。
【図６】図６は、本発明の第１の実施形態に係る、第１の方向に沿って動かされたスライドレールアセンブリの第２のレールを示す図である。
【図７】図７は、本発明の第１の実施形態に係る、第２のレールが第１の所定の位置に位置している場合に第１のロック装置を通じて第１のレールにロックされている第２のレールを示す図である。
【図８】図８は、本発明の第１の実施形態に係る、操作されている第１のロック装置を示す図である。
【図９】図９は、本発明の第１の実施形態に係る、第１のロック装置が第１のレールをロックできないように動かされた第１のロック装置の第２の部材を示す図である。
【図１０】図１０は、本発明の第１の実施形態に係る、第１の方向に沿ってさらに動かされた第２のレールを示す図である。
【図１１】図１１は、本発明の第１の実施形態に係る、第２のレールが第２の所定の位置に位置している場合に第２のロック装置を通じて第１のレールにロックされている第２のレールを示す図である。
【図１２】図１２は、本発明の第１の実施形態に係る、第２のレールを第１のレールに対して第２の方向に沿って動かすことができるように操作されている第２のロック装置を示す図である。
【図１３】図１３は、本発明の第２の実施形態に係る、スライドレールアセンブリの第２のレールが第２の方向に沿って動かされるプロセスの間に第１のレールのブロック部と接触する第１のロック装置を示す図である。
【図１４】図１４は、本発明の第２の実施形態に係る、第１のロック装置が第１のレールをロックできないように第１のレールのブロック部によって押し動かされたスライドレールアセンブリの第１のロック装置の第２の部材を示す図である。
【図１５】図１５は、本発明の第２の実施形態に係る、第２の方向に沿って第１のレールに対して動かされた第２のレールを示す図である。
【発明を実施するための形態】
【００１１】
図１及び図２に示すように、本発明の一実施形態に係るスライドレールアセンブリ２０は第１のレール２４と、第１のレール２４に対して可動な第２のレール２６とを含む。スライドレールアセンブリ２０は第３のレール２８をさらに含むことが好ましい。第１のレール２４は第３のレール２８と第２のレール２６との間に可動に取り付けられている。第３のレール２８は第１のブラケット３０及び第２のブラケット３２を通じてラック２２の第１のポスト２２ａ及び第２のポスト２２ｂに取り付けることができる。
【００１２】
図２に示すように、第１のレール２４は第３のレール２８に可動に取り付けられている。第１のレール２４は少なくとも１つのブロック部３４を含む（図３参照）。加えて、第１のレール２４は前端３６及び後端３８を有し、第１のレール２４は第１の壁４０ａ、第２の壁４０ｂ及び第１の壁４０ａと第２の壁４０ｂとの間に接続される側壁４２を含む。第１の壁４０ａ、第２の壁４０ｂ及び側壁４２によって通路が定義されている。少なくとも１つのブロック部３４は側壁４２に配置されるとともに第１のレール２４の前端３６に隣接している。少なくとも１つのブロック部３４は第１のレール２４の側壁４２に直接形成された突起であってもよいし、少なくとも１つのブロック部３４を含む追加の部品４４をリベット留め、溶接又はネジ留めにより第１のレール２４に固定接続してもよい。少なくとも１つのブロック部３４は第１のレール２４の側壁４２に対して突出しているが、本発明はそのような構成に限定されない。
【００１３】
第２のレール２６（スライドレールともいう）は第１のレール２４の通路内に可動に取り付けられている。第２のレール２６は前端４６及び後端４８を有し、第２のレール２６は第１の壁５０ａ、第２の壁５０ｂ及び第１の壁５０ａと第２の壁５０ｂとの間に接続される側壁５２を含む。
【００１４】
図２及び図４に示すように、スライドレールアセンブリ２０は第１のロック装置５４を含む。スライドレールアセンブリ２０は第２のロック装置５６をさらに含むことが好ましい。
【００１５】
第１のロック装置５４及び第２のロック装置５６の双方は第２のレール２６に、例えば第２のレール２６の側壁５２に配置されている。第１のロック装置５４は第１の部材５８及び第２の部材６０を含む。他方、第２のロック装置５６は第３の部材６２及び第４の部材６４を含む。
【００１６】
第２のレール２６及び第１のロック装置５４（及び第２のロック装置５６）はレールキットを形成する。第１のロック装置５４及び第２のロック装置５６は第２のレール２６の長手方向に沿って第２のレール２６の異なる位置に配置されている。第１のロック装置５４は第２のレール２６の前端４６に近づくように配置され、第２のロック装置５６は第２のレール２６の前端４６から離れるように配置されている。
【００１７】
具体的には、第１のロック装置５４の第１の部材５８は第１の部分６６を含み、第１のロック装置５４の第２の部材６０は第２の部分６８を含む。第１の部分６６と第２の部分６８との間に第１の空間Ｓ１が定義されている。第１の部材５８は第２のレール２６に固定されていることが好ましい。例えば、第１の部材５８は、第２のレール２６の一部として見なされるようにリベット留め、溶接又はネジ留めにより第２のレール２６に固定接続されている。加えて、第２の部材６０は第１の部材５８に重ねられている。第２の部材６０はガイド機構７０を通じて限られた範囲内で第２のレール２６に対して動くことができる。具体的には、第２の部材６０は第２のレール２６に対して可動であるため、第１の部分６６と第２の部分６８との間に定義された空間を第１の空間Ｓ１から第２の空間Ｓ２に変えることができる（図６及び図７参照）。本実施形態では、第２の部材６０は、第２の部材６０を第２のレール２６に可動に取り付けるために少なくとも１つの接続部材７０ｂ（例えば２つの接続部材）が部分的に貫通できるように構成された有界の細長い孔７０ａ（又は細長い溝）を有する。そのため、細長い孔７０ａ（又は細長い溝）及び少なくとも１つの接続部材７０ｂはガイド機構を形成する。スライドレールアセンブリ２０は第２の部材６０に弾性力を加えるように構成された弾性部材７１をさらに含むことが好ましい。
【００１８】
第１の部材５８は第１の弾性部分７２をさらに含む。第１の部分６６は第１の弾性部分７２の一端に配置されている。第２の部材６０は第２の弾性部分７４をさらに含む。第２の部分６８は第２の弾性部分７４の一端に配置されている。第１の弾性部分７２は第２のレール２６と第２の弾性部分７４との間に位置し、第１の弾性部分７２及び第２の弾性部分７４は第２のレール２６の側壁５２に対して僅かに傾斜されている。第２の部材６０は第２の弾性部分７４に接続された第１の伸長部分７６をさらに含む。第２のレール２６は、第２の部材６０及び／又は第１の部材５８が過度に傾斜するのを防止するために第１の伸長部分７６に当接するように構成された第１の支持部７８をさらに含む。
【００１９】
他方、第２のロック装置５６の第３の部材６２は第３の部分８０を含み、第２のロック装置５６の第４の部材６４は第４の部分８２を含む。第３の部分８０と第４の部分８２との間に第３の空間Ｓ３が定義されている。第３の部材６２は第２のレール２６に固定されていることが好ましい。例えば、第３の部材６２は、第２のレール２６の一部として見なされるようにリベット留め、溶接又はネジ留めにより第２のレール２６に固定接続されている。第３の部材６２は第３の弾性部分８４をさらに含むことが好ましい。第３の部分８０は第３の弾性部分８４の一端に配置されている。第４の部材６４は第３の部材６２に重ねられている。第４の部材６４は第４の弾性部分８６をさらに含む。第４の部分８２は第４の弾性部分８６の一端に配置されている。
【００２０】
第３の弾性部分８４は第２のレール２６と第４の弾性部分８６との間に位置し、第３の弾性部分８４及び第４の弾性部分８６は第２のレール２６の側壁５２に対して僅かに傾斜していることが好ましい。第４の部材６４は第４の弾性部分８６に接続された第２の伸長部分８８をさらに含む。第２のレール２６は、第４の部材６４及び／又は第３の部材６２が過度に傾斜するのを防止するために第２の伸長部分８８に当接するように構成された第２の支持部９０をさらに含む。
【００２１】
図５に示すように、第２のレール２６及び第１のレール２４は第３のレール２８に対して格納位置Ｒに位置している。第１のロック装置５４、第２のロック装置５６及び弾性部材７１はそれぞれ初期状態にある。さらに、第１の部材５８の第１の部分６６と第２の部材６０の第２の部分６８との間に第１の空間Ｓ１が定義されている。他方、第３の部材６２の第３の部分８０と第４の部材６４の第４の部分８２との間に第３の空間Ｓ３が定義されている。
【００２２】
図６及び図７に示すように、第２のレール２６及び第１のレール２４は引き出され、第３のレール２８に対して格納位置Ｒから第１の方向Ｄ１に沿って動かされている。第１のレール２４が第３のレール２８に対して所定の伸長状態にある場合、第２のレール２６は第１のレール２４及び第３のレール２８に対して第１の方向Ｄ１に沿って動かすことができるようユーザーによってさらに操作できる。
【００２３】
第２のレール２６が第１の方向Ｄ１に沿って第１の所定の位置Ｐ１に動かされるプロセスの間、第１のロック装置５４の第２の部材６０の第２の部分６８は第１のレール２４のブロック部３４の一方側によってブロックできる。他方、第１の部材５８の第１の弾性部分７２は（図６に示すように）弾性エネルギーを蓄積するためにブロック部３４によって一時的に押圧される。ユーザーによって第２のレール２６に加えられる力が弾性部材７１の弾性力を解消するのに十分大きい場合、第１の部材５８が取り付けられた第２のレール２６は、第１の部材５８の第１の部分６６と第２の部材６０の第２の部分６８との間の空間を第１の空間Ｓ１から第２の空間Ｓ２に変えることができるように、（図７に示すように）第１の方向Ｄ１に沿って第１の所定の位置Ｐ１にさらに動かすことができる。したがって、第１の弾性部分７２は、第１の部材５８の第１の部分６６は第１のレール２４のブロック部３４の他方側に位置するように、弾性エネルギーをさらに放つようにブロック部３４によってもはや押圧されていない。第２の空間Ｓ２は第１の空間Ｓ１よりも大きく、第２の空間Ｓ２は、第１のレール２４のブロック部３４（物体ともいう）を第１のロック装置５４にロックするために第１のレール２４のブロック部３４を収容するように構成されている。即ち、第１のロック装置５４の第１の部分６６及び第２の部分６８は第１のレール２４のブロック部３４の２つの側をそれぞれブロックできる。そのため、第２のレール２６が第１のレール２４に対して第１の方向Ｄ１又は第２の方向（第１の方向Ｄ１と反対の方向）に沿って動くのを防止できる。そのような状態では、スライドレールアセンブリ２０は第１の伸長長さを有し、第２のレール２６は第１のレール２４に対して第１の伸長状態にある。第１のロック装置５４がブロック部３４をロックすると、弾性部材７１は弾性力を蓄積する。
【００２４】
図８に示すように、第１のロック装置５４がブロック部３４をロックすると、ユーザーは、第２の部材６０の第２の部分６８及び第１の部材５８の第１の部分６６を駆動してブロック部３４の２つの側から遠ざけるために第２の部材６０の第２の弾性部分７４及び第１の部材５８の第１の弾性部分７２に力Ｆを加えることができる。そのため、第１のロック装置５４は、第２のレール２６を第１のレール２４に対して第１の所定の位置Ｐ１から第１の方向Ｄ１に沿ってさらに動かすことができるようにブロック部３４をもはやロックしていない。
【００２５】
図８及び図９に示すように、ブロック部３４のロックを解除するために第１のロック装置５４が操作されると、弾性部材７１は第２の部材６０を駆動して第１の部材５８に対して動かすために即座に弾性力を放つ。したがって、第１の部材５８の第１の部分６６と第２の部材６０の第２の部分６８との間の空間を第２の空間Ｓ２から第１の空間Ｓ１に変えることができる。第１の空間Ｓ１はブロック部３４を収容することができない。そのような状態では、第１のロック装置５４は第１のレール２４のブロック部３４をロックすることができない。
【００２６】
図１０及び図１１に示すように、ブロック部３４のロックを解除するために第１のロック装置５４が操作されると、第２のレール２６は第１のレール２４に対して第１の所定の位置Ｐ１から第１の方向Ｄ１に沿ってさらに動かすことができる。そのようなプロセスの間、第３の部材６２の第３の弾性部分８４はブロック部３４によって一時的に押圧されて弾性エネルギーを蓄積する。第２のレール２６が第２の所定の位置Ｐ２に動かされると、第３の部材６２の第３の弾性部分８４は弾性エネルギーを放ち、第３の部材６２の第３の部分８０と第４の部材６４の第２の部分６８との間で定義される第３の空間Ｓ３は、ブロック部３４を第２のロック装置５６にロックするために第１のレール２４のブロック部３４を収容するように構成されている。即ち、第２のロック装置５６の第３の部分８０及び第４の部分８２は第１のレール２４のブロック部３４の２つの側をそれぞれブロックすることができる。そのため、第２のレール２６が第１のレール２４に対して第１の方向Ｄ１又は第２の方向Ｄ２（第１の方向Ｄ１と反対の方向）に沿って動くのを防止できる。そのような状態では、スライドレールアセンブリ２０は第２の伸長な長さを有し、第２のレール２６は第１のレール２４に対して第２の伸長状態、例えば（図１１に示すように）完全に伸長した状態にある。
【００２７】
図１２に示すように、ユーザーはブロック部３４を第２のロック装置５６から外すために第４の部材６４の第４の弾性部分８６及び第３の部材６２の第３の弾性部分８４に力Ｆを加えることができる。加えて、第１の部材５８と第１のロック装置５４の部材６０との間の空間は第１の空間Ｓ１（図９参照）に変わっているため、第１のロック装置５４は、第２のレール２６が第１のレール２４に対して第２の所定の位置Ｐ２から第２の方向Ｄ２に沿って直接格納位置Ｒに移動できるようにブロック部３４をロックすることができない。
【００２８】
図１３、図１４及び図１５は本発明の別の実施形態に係るスライドレールアセンブリ２００を示す図である。先の実施形態とは異なり、スライドレールアセンブリ２００は弾性部材７１を含まない。
【００２９】
具体的には、スライドレールアセンブリ２００が弾性部材７１を含まない状態では、第１の部材５８の第１の部分６６と第２の部材６０の第２の部分６８との間の空間を、第２のレール２６を第１のレール２４に対して第２の所定の位置Ｐ２から第２の方向Ｄ２に沿って直接格納位置Ｒに動かすことができるように第２の空間Ｓ２から第１の空間Ｓ１に変えることができる。
【００３０】
例えば、第２のレール２６が第２の所定の位置Ｐ２から第２の方向Ｄ２に沿って第１のレール２４のブロック部３４に近づくように動かされると、第２の部材６０の第２の部分６８は、第１の部材５８の第１の部分６６と第２の部材６０の第２の部分６８との間の空間が第２の空間Ｓ２から第１のレール２４のブロック部３４を収容することができない第１の空間Ｓ１に変わるように第２の部材６０を押して第２の方向Ｄ２と反対の方向に沿って動かすための力Ｆ１を生成するためにブロック部３４と当接する（第２の部材６０の第２の部分６８及び第１のレール２４のブロック部３４の一方は傾斜面又は弧面を有することが好ましい）。即ち、第１のロック装置５４は、第２のレール２６を第１のレール２４に対して直接格納位置Ｒの方に第２の方向Ｄ２に沿って後退させることができるようにするために第１のレール２４のブロック部３４をロックできない。。
【００３１】
したがって、本発明のスライドレールアセンブリは以下のように特徴付けることができる。
【００３２】
１）第１のロック装置５４及び第２のロック装置５６は、スライドレールアセンブリ２０、２００が異なる伸長長さを有することができるようにスライドレールアセンブリ２０、２００のスライドレール（第２のレール２６等）を異なる位置でロックするように構成されている。したがって、スライドレールアセンブリ２０は様々な取り付け環境に適合できるとともに、機器メンテナンスのための特定の要件を満たすことができる。
【００３３】
２）第１のロック装置５４の第１の部材５８及び第２の部材６０の一方は、物体に対応するために第１の部材５８の第１の部分６６と第２の部材６０の第２の部分６８との間の空間の大きさ（第１の空間Ｓ１又は第２の空間Ｓ２等）を変えるために調節して動かすことができる。
【００３４】
３）スライドレールアセンブリ２０、２００は第２のレール２６を２つの伸長状態でロックするために伸長できる。第２のレール２６が第２の所定の位置Ｐ２に位置していても、単にロック装置を操作して第２のレール２６のロックを解除することにより第２のレール２６を完全に格納でき、操作の簡便さが向上される。
【００３５】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００３６】
２０、２００  スライドレールアセンブリ
２２  ラック
２２ａ、２２ｂ  ポスト
２４  第１のレール
２６  第２のレール
２８  第３のレール
３０  第１のブラケット
３２  第２のブラケット
３４  ブロック部
３６  前端
３８  後端
４０ａ、４０ｂ  壁
４２  側壁
４４  
４６  前端
４８  後端
５０ａ、５０ｂ  壁
５２  側壁
５４  第1のロック装置
５６  第２のロック装置
５８  第１の部材
６０  第２の部材
６２  第３の部材
６４  第４の部材
６６  第１の部分
６８  第２の部分
７０ａ  細長い孔
７０ｂ  接続部材
７２  第１の弾性部分
７４  第２の弾性部分
７６  第１の伸長部分
７８  第１の支持部
８０  第３の部分
８２  第４の部分
８４  第３の弾性部分
８６  第４の弾性部分
８８  第２の伸長部分
９０  第２の支持部
【図１】
2019034111.tif 000003
【図２】
2019034111.tif 000004
【図３】
2019034111.tif 000005
【図４】
2019034111.tif 000006
【図５】
2019034111.tif 000007
【図６】
2019034111.tif 000008
【図７】
2019034111.tif 000009
【図８】
2019034111.tif 000010
【図９】
2019034111.tif 000011
【図１０】
2019034111.tif 000012
【図１１】
2019034111.tif 000013
【図１２】
2019034111.tif 000014
【図１３】
2019034111.tif 000015
【図１４】
2019034111.tif 000016
【図１５】
2019034111.tif 000017